(57)【要約】【課題】顔画像データをサーバに登録する時、ユーザがパスワードの設定操作に行き詰まっても、行き詰まりを解消し円滑なパスワード設定可能な証明写真撮影装置及び顔画像データ登録システムを提供する。【解決手段】ユーザが一定時間内にパスワードの入力を行わないことを認識すると、任意のパスワードを発生させ、発生させたパスワードを用いて顔画像データのサーバへの登録を行う証明写真撮影装置及び顔画像データ登録システム。【選択図】        図４
2004153393.tif 000002
【特許請求の範囲】
【請求項１】
ユーザを撮影する撮影手段と、該撮影手段により得られた顔画像データを記録媒体上に出力するプリント手段と、ネットワーク上の外部データベースと顔画像データのやりとりを行う通信手段と、
ユーザがパスワードを入力するパスワード入力手段と、任意のパスワードを自動的に発生させるパスワード発生手段と、パスワードを表示するパスワード表示手段と、を有する証明写真撮影装置であって、
ユーザが一定時間内にパスワードの入力を完了していない時、該パスワード発生手段より任意のパスワードを発生させ、該任意のパスワードを該パスワード表示手段に表示させて、該顔画像データをプリント出力させる制御手段を有することを特徴とする証明写真撮影装置。
【請求項２】
ユーザを撮影する撮影手段と、該撮影手段により得られた顔画像データを記録媒体上に出力するプリント手段と、ネットワーク上の外部データベースと顔画像データのやりとりを行う通信手段と、
ユーザがパスワードを入力するパスワード入力手段と、任意のパスワードを自動的に発生させるパスワード発生手段と、パスワードを表示するパスワード表示手段と、を有する証明写真撮影装置であって、
ユーザが一定時間内にパスワードの入力を行わない時、該パスワード発生手段より任意のパスワードを発生させ、該任意のパスワードを該パスワード表示手段に表示させて、該顔画像データをプリント出力させる制御手段を有することを特徴とする証明写真撮影装置。
【請求項３】
前記制御手段は、ユーザが一定時間内にパスワードの入力を行わない時、またはパスワードの入力を完了していない時に、
前記パスワード発生手段より複数の任意のパスワード候補を発生させ、該複数の任意のパスワードからユーザに１つのパスワードを選択させた後、
選択されたパスワードを前記パスワード表示手段に表示させて、顔画像データをプリント出力する制御を行うことを特徴とする請求項１または２に記載の証明写真撮影装置。
【請求項４】
前記証明写真撮影装置は、前記顔画像データに付与したパスワードを記録媒体上に印刷する印刷手段を有することを特徴とする請求項１〜３のいずれか１項に記載の証明写真撮影装置。
【請求項５】
前記証明写真撮影装置は、前記パスワード表示手段に前記パスワード発生手段により発生させた任意のパスワードを表示させた後、パスワードの入力操作に続く次の操作に自動的に遷移させるものであることを特徴とする請求項１〜４のいずれか１項に記載の証明写真撮影装置。
【請求項６】
前記証明写真撮影装置は表示手段を有するもので、
ユーザは、該表示手段に表示される指示にしたがって、撮影、該撮影により得られた顔画像データのサーバへの登録、及び該顔画像データのプリント出力を行うものであることを特徴とする請求項１〜５のいずれか１項に記載の証明写真撮影装置。
【請求項７】
ユーザを撮影する撮影手段と、該撮影手段により得られた顔画像データを記録媒体上に出力するプリント手段と、顔画像データのやりとりを行う通信手段と、ユーザがパスワードを入力するパスワード入力手段とを有する証明写真撮影装置と、
該証明写真撮影装置と該証明写真撮影装置で撮影して得られた顔画像データを登録するサーバとが接続するネットワークとからなる顔画像データ登録システムであり、
該顔画像データ登録システムは、
該証明写真撮影装置がパスワード入力可能な状態になってから一定時間内にユーザがパスワードの入力を完了していないことを認識した時に、
任意のパスワードを該証明写真撮影装置に発生させて、該任意のパスワードを用いて該顔画像データの該サーバへの登録を行うことを特徴とする顔画像データ登録システム。
【請求項８】
ユーザを撮影する撮影手段と、該撮影手段により得られた顔画像データを記録媒体上に出力するプリント手段と、顔画像データのやりとりを行う通信手段と、ユーザがパスワードを入力するパスワード入力手段とを有する証明写真撮影装置と、
該証明写真撮影装置と該証明写真撮影装置で撮影して得られた顔画像データを登録するサーバとが接続するネットワークとからなる顔画像データ登録システムであり、
該顔画像データ登録システムは、
該証明写真撮影装置がパスワード入力可能な状態になってから一定時間内にユーザからパスワードの入力がないことを認識した時に、
任意のパスワードを該証明写真撮影装置に発生させて、該任意のパスワードを用いて該顔画像データの該サーバへの登録を行うことを特徴とする顔画像データ登録システム。
【請求項９】
前記顔画像データ登録システムは、
前記証明写真撮影装置がパスワード入力可能な状態になってから一定時間内にユーザからパスワードの入力がないこと、
または一定時間内にユーザがパスワードの入力を完了していないことを認識した時に、
複数のパスワード候補を該証明写真撮影装置に発生させて、該複数のパスワード候補の中から１つをユーザに選択させて、
ユーザが選択したパスワードを用いて顔画像データの前記サーバへの登録を行うことを特徴とする請求項７または８に記載の顔画像データ登録システム。
【請求項１０】
前記顔画像データ登録システムは、前記顔画像データに付与したパスワードを記録媒体上に印刷することを特徴とする請求項７〜９のいずれか１項に記載の顔画像データ登録システム。
【請求項１１】
請求項１〜６のいずれか１項に記載された証明写真撮影装置により、撮影が行われかつ該撮影により得られた顔画像データを記録媒体上にプリント出力して得られることを特徴とするプリント写真。
【請求項１２】
前記プリント写真は、前記証明写真撮影装置で得られた顔画像データに付与されたパスワードを該プリント写真上に表示するものであることを特徴とする請求項１１に記載のプリント写真。
【請求項１３】
請求項１〜６のいずれか１項に記載された証明写真撮影装置で撮影して得られ、かつ前記ネットワーク上の前記サーバに登録した顔画像データを、該証明写真撮影装置に送信して記録媒体上にプリント出力して得られることを特徴とするプリント写真。
【発明の詳細な説明】
【０００１】
【発明の属する技術分野】
本発明は、パスワード等の識別情報の入力によりネットワーク上のサーバに保管された顔画像データをプリント出力する証明写真撮影装置、及び顔画像データ登録システムに関する。
【０００２】
【従来の技術】
セルフ型証明写真撮影装置と呼ばれる、ボックス型の自動写真撮影装置（以下、証明写真撮影装置、撮影装置とも言う。）は、市中に設置され、コイン又は紙幣を投入後短時間で履歴書貼付用やパスポート申請用といった所定サイズの顔写真プリントを迅速かつ簡易に得られるので大変重宝な存在となっている。
【０００３】
この様な自動写真撮影装置は、例えば箱形の撮影ボックス内に被写体となるユーザが入り、撮影ボックス内の椅子に座り、ユーザはモニタ画面に表示される指示にしたがって所定の操作を行い、撮影を経て撮影により得られた顔画像データを所定サイズのシート状の記録媒体上に出力させてプリント写真を得る。
【０００４】
官庁や公共機関に提出する書類に貼付する写真には、前述のパスポート申請用写真のように顔の寸法や位置が規定されたものもあり、証明写真撮影装置ではこのような規定をクリアーするプリント写真が得られるように撮影とプリント出力が行われる。
【０００５】
また、最近では証明写真撮影装置で撮影して得られた顔画像データを一定期間ネットワーク上のサーバに登録し保管するネットサービスと呼ばれる顔画像データのサービスが登場しており、一度撮影した顔の寸法や位置の規定をクリアーする顔画像データを有効活用するという視点からも有意義な存在となっている。
【０００６】
例えば特開平１０−２１０１９９号公報（以下特許文献１という）の段落０００５には、撮影装置で撮影した顔画像データをユーザの識別情報とともにサーバに記憶し、画像出力装置に被写体の識別情報を入力して識別情報に対応する画像データを記録媒体上に出力する技術が開示されている。また、特開２００２−１０８８７４号公報（以下特許文献２という）の図１や段落００１０には、顔画像データの出力手段として証明写真撮影装置を用いる技術が開示されている。
【０００７】
顔画像データをサーバに登録する際、顔画像データにセキュリティを付与する必要性から、各顔画像データ１つ１つにＩＤ番号やパスワードといった識別情報が付与され、サーバに登録された顔画像データは識別情報に基づいて保管、管理される。
【０００８】
ところで、パスワード等の識別情報を迅速確実かつ容易に入力することは、例えば入力した文字がアスタリスク表示されて正しく入力されたことが確認しにくい等の理由により、ユーザによっては煩わしさを伴うものである。そこで、パスワード入力の負担を軽減させる技術も構築されつつあり、特開２００１−１６６８４３号公報（以下特許文献３という）の段落００２６〜００３１、図６には、パスワードの誤入力防止と秘匿性を確保したパスワード入力技術が開示されている。
【０００９】
この様な技術により、ユーザは証明写真撮影装置内のモニタ画面上に表示される指示にしたがって、顔画像の撮影を行い得られた顔画像データにパスワードを付与してネットワーク上のサーバに自分の顔画像データを登録して、その顔画像データが必要な時にサーバよりダウンロードしてプリント出力することが可能である。
【００１０】
【特許文献１】
特開平１０−２１０１９９号公報（段落０００５）
【００１１】
【特許文献２】
特開２００２−１０８８７４号公報（図１、段落００１０）
【００１２】
【特許文献３】
特開２００１−１６６８４３号公報（図６、段落００２６〜３１）
【００１３】
【発明が解決しようとする課題】
しかしながら、ユーザの中には顔画像データの登録を行う時に操作に慣れないなどの理由でパスワードの番号を決めたり、パスワードの入力に手間取る人もおり、この様な人がパスワードの設定や入力作業に行き詰まると証明写真撮影装置のモニタ画面はパスワードの入力指示画面のままで次の指示画面に遷移することができず、ユーザはパスワード入力画面で操作に行き詰まってしまう問題が発生する。そして、顔画像データの登録を行う場合、セキュリティの観点からパスワードの設定と入力を省略することはできないようにシステムが構築されているので、ユーザがパスワードの入力に行き詰まるといつまでもパスワード入力待ちの状態で停滞してしまう。
【００１４】
この様に、ユーザがパスワードの設定に行き詰まってしまうと証明写真撮影装置ではパスワード入力作業のところで作業が停滞して次の操作に遷移することができない。そして、使用頻度の高い証明写真撮影装置で一ユーザがパスワード設定の操作に行き詰まってしまうと待機中の他のユーザはその間長い時間待機しなくてはならずサービス効率や生産性の低下を招く。
【００１５】
この様に、ユーザがパスワードの設定や入力に行き詰まる、いわゆるデッドロックと呼ばれる操作の停滞は、顔画像データの登録操作に支障を来すもので、ユーザがパスワードを設定し入力する時に発生した行き詰まりを早急に解消して円滑な顔画像データ登録の可能なシステムが要望されている。
【００１６】
本発明は、上記問題を鑑みてなされたものである。
すなわち、本発明の第１の目的は、証明写真撮影装置で撮影して得た顔画像データをネットワーク上のサーバに登録する際に、ユーザがパスワードの設定操作に行き詰まった場合、ユーザの操作上の行き詰まりを解消して円滑なパスワード設定が行える証明写真撮影装置及び顔画像データ登録システムを提供することである。
【００１７】
本発明の第２の目的は、証明写真撮影装置で撮影して得た顔画像データをネットワーク上のサーバに登録する際に、パスワードの設定操作に不慣れなユーザでも、確実にパスワードの設定を行って顔画像データのサーバへの登録とプリント出力が円滑かつ確実に実施可能な証明写真撮影装置及び顔画像データ登録システムを提供することである。
【００１８】
本発明の第３の目的は、ユーザのパスワード設定行き詰まりに起因するサービス効率や生産性の低下を発生させない証明写真撮影装置及び顔画像データ登録システムを提供することである。
【００１９】
本発明の第４の目的は、顔画像データをサーバに登録した時に付与したパスワードをみだりに印刷することなく、ユーザの自己責任の範囲で印刷を行うパスワードへのセキュリティを配慮した証明写真撮影装置を提供することである。
【００２０】
本発明の第５の目的は、証明写真撮影装置で撮影して得られた顔画像データをサーバに登録する際に付与したパスワードをユーザの自己責任の範囲で出力して、プリント写真上にパスワード表記を可能にしたプリント写真を提供することである。
【００２１】
【課題を解決するための手段】
本発明者は検討の結果、証明写真撮影装置自体がユーザのパスワード入力操作の状態を検出して、入力操作に慣れていない人がパスワード入力を行っていると判断した時に自動的にパスワードを設定し付与することにより、パスワードの設定に慣れないユーザでも容易に顔画像データのサーバへの登録を円滑に行うことの可能な証明写真撮影装置の開発を見出した。そして、本発明の課題は以下に記載のいずれかの構成により達成されることを見出した。
【００２２】
請求項１に記載の発明は、『ユーザを撮影する撮影手段と、該撮影手段により得られた顔画像データを記録媒体上に出力するプリント手段と、ネットワーク上の外部データベースと顔画像データのやりとりを行う通信手段と、ユーザがパスワードを入力するパスワード入力手段と、任意のパスワードを自動的に発生させるパスワード発生手段と、パスワードを表示するパスワード表示手段と、を有する証明写真撮影装置であって、ユーザが一定時間内にパスワードの入力を完了していない時、該パスワード発生手段より任意のパスワードを発生させ、該任意のパスワードを該パスワード表示手段に表示させて、該顔画像データをプリント出力させる制御手段を有することを特徴とする証明写真撮影装置。』である。
【００２３】
請求項２に記載の発明は、『ユーザを撮影する撮影手段と、該撮影手段により得られた顔画像データを記録媒体上に出力するプリント手段と、ネットワーク上の外部データベースと顔画像データのやりとりを行う通信手段と、ユーザがパスワードを入力するパスワード入力手段と、任意のパスワードを自動的に発生させるパスワード発生手段と、パスワードを表示するパスワード表示手段と、を有する証明写真撮影装置であって、ユーザが一定時間内にパスワードの入力を行わない時、該パスワード発生手段より任意のパスワードを発生させ、該任意のパスワードを該パスワード表示手段に表示させて、該顔画像データをプリント出力させる制御手段を有することを特徴とする証明写真撮影装置。』である。
【００２４】
請求項１または２に記載の発明によれば、撮影装置がパスワード入力可能状態になってから一定時間内にユーザがパスワード入力を行っていない時やパスワードの入力が完了していないと判断した時、撮影装置は任意のパスワードを自動的に発生させて顔画像データに付与することにより、ユーザがパスワードの設定に行き詰まっても確実に顔画像データをサーバに登録することが可能である。
【００２５】
請求項３に記載の発明は、『前記制御手段は、ユーザが一定時間内にパスワードの入力を行わない時、またはパスワードの入力を完了していない時に、前記パスワード発生手段より複数の任意のパスワード候補を発生させ、該複数の任意のパスワードからユーザに１つのパスワードを選択させた後、選択されたパスワードを前記パスワード表示手段に表示させて、顔画像データをプリント出力する制御を行うことを特徴とする請求項１または２に記載の証明写真撮影装置。』である。
【００２６】
請求項３に記載の発明によれば、撮影装置で複数のパスワード候補を発生させて、その中からユーザに好みの番号をパスワードとして選択させることにより、撮影装置が自動的に設定したパスワードに対して少しでもユーザに自由度を与えてパスワードの自動設定を行い確実に顔画像データのサーバへの登録を可能にする。
【００２７】
請求項４に記載の発明は、『前記証明写真撮影装置は、前記顔画像データに付与したパスワードを記録媒体上に印刷する印刷手段を有することを特徴とする請求項１〜３のいずれか１項に記載の証明写真撮影装置。』である。
【００２８】
請求項４に記載の発明によれば、顔画像データをサーバに登録する際に設定したパスワードをプリント写真上にみだりに出力することを防ぎ、ユーザの判断の下でたとえば筆記用具を持ち合わせていない場合のような時のみパスワードをプリント写真上に表示することを可能にしたので、パスワードのセキュリティを確保するとともに付与したパスワードをユーザが忘れないように対処した証明写真撮影装置の提供を可能にする。
【００２９】
請求項５に記載の発明は、『前記証明写真撮影装置は、前記パスワード表示手段に前記パスワード発生手段により発生させた任意のパスワードを表示させた後、パスワードの入力操作に続く次の操作に自動的に遷移させるものであることを特徴とする請求項１〜４のいずれか１項に記載の証明写真撮影装置。』である。
【００３０】
請求項６に記載の発明は、『前記証明写真撮影装置は表示手段を有するもので、ユーザは、該表示手段に表示される指示にしたがって、撮影、該撮影により得られた顔画像データのサーバへの登録、及び該顔画像データのプリント出力を行うものであることを特徴とする請求項１〜５のいずれか１項に記載の証明写真撮影装置。』である。
【００３１】
請求項６に記載の発明によれば、ユーザは証明写真撮影装置の表示手段であるモニタ画面に表示される指示内容にしたがって、撮影、顔画像データのサーバへの登録、及びプリント写真の出力を行うことができるので、簡易な操作により顔画像データのサーバへの登録とプリント写真の入手の可能な証明写真撮影装置の提供を可能にする。
【００３２】
請求項７に記載の発明は、『ユーザを撮影する撮影手段と、該撮影手段により得られた顔画像データを記録媒体上に出力するプリント手段と、顔画像データのやりとりを行う通信手段と、ユーザがパスワードを入力するパスワード入力手段とを有する証明写真撮影装置と、該証明写真撮影装置と該証明写真撮影装置で撮影して得られた顔画像データを登録するサーバとが接続するネットワークとからなる顔画像データ登録システムであり、該顔画像データ登録システムは、該証明写真撮影装置がパスワード入力可能な状態になってから一定時間内にユーザがパスワードの入力を完了していないことを認識した時に、任意のパスワードを該証明写真撮影装置に発生させて、該任意のパスワードを用いて該顔画像データの該サーバへの登録を行うことを特徴とする顔画像データ登録システム。』である。
【００３３】
請求項８に記載の発明は、『ユーザを撮影する撮影手段と、該撮影手段により得られた顔画像データを記録媒体上に出力するプリント手段と、顔画像データのやりとりを行う通信手段と、ユーザがパスワードを入力するパスワード入力手段とを有する証明写真撮影装置と、該証明写真撮影装置と該証明写真撮影装置で撮影して得られた顔画像データを登録するサーバとが接続するネットワークとからなる顔画像データ登録システムであり、該顔画像データ登録システムは、該証明写真撮影装置がパスワード入力可能な状態になってから一定時間内にユーザからパスワードの入力がないことを認識した時に、任意のパスワードを該証明写真撮影装置に発生させて、該任意のパスワードを用いて該顔画像データの該サーバへの登録を行うことを特徴とする顔画像データ登録システム。』である。
【００３４】
請求項７または８に記載の発明によれば、撮影装置がパスワード入力可能状態になってから一定時間内にパスワード入力がされていないと判断した時、またはパスワード入力可能な状態になってから一定時間内にパスワードの入力が完了していないと判断した時、撮影装置は任意のパスワードを自動的に発生させ、顔画像データに自動的に付与することにより、顔画像データのサーバへの登録を円滑かつ確実に行うことを可能にするので、ユーザがパスワードの設定に行き詰まっても確実に顔画像データをサーバに登録することが可能な顔画像データ登録システムの提供を可能にする。
【００３５】
請求項９に記載の発明は、『前記顔画像データ登録システムは、前記証明写真撮影装置がパスワード入力可能な状態になってから一定時間内にユーザからパスワードの入力がないこと、または一定時間内にユーザがパスワードの入力を完了していないことを認識した時に、複数のパスワード候補を該証明写真撮影装置に発生させて、該複数のパスワード候補の中から１つをユーザに選択させて、ユーザが選択したパスワードを用いて顔画像データの前記サーバへの登録を行うことを特徴とする請求項７または８に記載の顔画像データ登録システム。』である。
【００３６】
請求項９に記載の発明によれば、ユーザからのパスワード入力が一定時間内に行われなかったり完了しなかった場合、撮影装置で複数のパスワード候補を発生させ、その中からユーザに好みの番号をパスワードとして選択させることにより、撮影装置が自動的に設定したパスワードでもある程度の自由度をユーザに提供してパスワードを自動的に設定して、確実に顔画像データのサーバへの登録を行うことの可能な顔画像データ登録システムを提供することを可能にする。
【００３７】
請求項１０に記載の発明は、『前記顔画像データ登録システムは、前記顔画像データに付与したパスワードを記録媒体上に印刷することを特徴とする請求項７〜９のいずれか１項に記載の顔画像データ登録システム。』である。
【００３８】
請求項１０に記載の発明によれば、顔画像データをサーバに登録する際に設定したパスワードをプリント写真上にみだりに出力することを防ぎ、たとえば筆記用具を持ち合わせていない時にユーザが自己責任で判断してプリント写真上にパスワードの印刷を行うことを可能にしたので、パスワードのセキュリティを確保した状況でユーザがパスワードを忘れないように配慮した顔画像データ登録システムの提供を可能にした。
【００３９】
請求項１１に記載の発明は、『請求項１〜６のいずれか１項に記載された証明写真撮影装置により、撮影が行われかつ該撮影により得られた顔画像データを記録媒体上にプリント出力して得られることを特徴とするプリント写真。』である。
【００４０】
請求項１２に記載の発明は、『前記プリント写真は、前記証明写真撮影装置で得られた顔画像データに付与されたパスワードを該プリント写真上に表示するものであることを特徴とする請求項１１に記載のプリント写真。』である。
【００４１】
請求項１１または１２に記載の発明によれば、撮影装置がパスワード入力可能状態になってから一定時間内にパスワード入力がされていないと判断した時、またはパスワード入力可能な状態になってから一定時間内にパスワードの入力が完了していない時のように、ユーザがパスワードの入力に行き詰まったと撮影装置が判断すると任意のパスワードを自動的に発生させ、顔画像データに自動的に付与することにより、顔画像データのサーバへの登録を円滑かつ確実に行えるので迅速に入手することの可能なプリント写真の提供を可能にするとともに、必要に応じてパスワードの表示されたプリント写真の提供を可能にする。
【００４２】
請求項１３に記載の発明は、『請求項１〜６のいずれか１項に記載された証明写真撮影装置で撮影して得られ、かつ前記ネットワーク上の前記サーバに登録した顔画像データを、該証明写真撮影装置に送信して記録媒体上にプリント出力して得られることを特徴とするプリント写真。』である。
【００４３】
請求項１３に記載の発明によれば、パスワード入力に不慣れなユーザでも確実にパスワード設定可能な証明写真撮影装置で得られネットワーク上のサーバに登録した顔画像データを証明写真撮影装置から出力して得られるプリント写真により、これまでパスワードの入力が不慣れだったため登録作業が面倒で顔画像データの登録を渋々断念していたユーザも顔画像データの登録を確実に行って、必要な時に登録した顔画像データを証明写真プリントとして確実に入手できるようにした。
【００４４】
この様に、本発明では証明写真撮影装置自体がユーザのパスワード設定状況を検出して、ユーザがパスワードの設定に行き詰まっていると判断した時に、自動的にパスワードの設定を行うことにより、顔画像データをネットワーク上のサーバに登録する際、操作を省略することのできないパスワード設定をユーザに代わって撮影装置が行い円滑に顔画像データのサーバへの登録を行うことを可能にしている。
【００４５】
【発明の実施の形態】
本発明は、証明写真撮影装置で撮影した顔画像データをネットワーク上のサーバに登録する時、ユーザが本人認証に必要なパスワードの入力を一定時間内に入力しない場合、証明写真撮影装置が任意のパスワードを自動的に発生させて自動的にパスワードの入力を行う、あるいは複数の任意のパスワード候補を自動的に発生させてユーザにこれらの候補から１つ選択させて入力する証明写真撮影装置及び該証明写真撮影装置を用いた顔画像データ登録システムに関する。
【００４６】
本発明に係る証明写真撮影装置は、撮影装置自体がユーザのパスワードの設定状況を検出して、ユーザがパスワードの入力に行き詰まっている時にパスワードを自動的に発生させて設定することにより、パスワードの設定を確実に行いパスワード入力画面から次の操作画面に強制的に画面を遷移させることを可能にしている。
【００４７】
以下、本発明に係る証明写真撮影装置及び該証明写真撮影システムを用いた顔画像データ登録システムの代表的な実施形態の一例を図面に基づいて説明する。
【００４８】
図１は、本発明に係る顔画像データ登録システムの一例を示すシステム概略図である。本発明に係る顔画像データ登録システムは、プリント出力手段を有する証明写真撮影装置（以下撮影装置ともいう）１００、証明写真撮影装置１００で撮影された顔画像データを収録するサーバ２００、証明写真１００とサーバ２００を接続するネットワーク３００より構成される。
【００４９】
ネットワーク３００に接続するサーバ２００は、証明写真撮影装置１００で得られた顔画像データを登録し保管する大容量の記憶手段を有するコンピュータで、顔画像データの登録、保管に加えてネットワーク３００に接続する証明写真撮影装置１００の作動状況やメンテナンス履歴などの情報を収録してこれらの証明写真撮影装置を一元的に管理することが可能である。
【００５０】
サーバ２００に設けられる顔画像データなどのデータを収録し保管する大容量の記憶手段としては、例えば１０９バイト以上のＨＤＤやＲＡＩＤのような記憶媒体が挙げられる。
【００５１】
ネットワーク３００は、有線或いは無線の形態で撮影装置１００とサーバ２００とを接続し、撮影装置１００及びサーバ２００の双方向間で顔画像データをはじめとする各種データの交信が可能な通信媒体である。ネットワーク３００は、撮影装置１００とサーバ２００との双方向間において前述の各種データを交信できる通信媒体であれば、有線、無線或いは両者を併用した形態でもよい。具体的な通信形態としては、モデム接続を介してＡＤＳＬ、ＩＳＤＮ、或いはＳＷＬＡＮ（スーパーワイドＬＡＮ）といった有線の通信形態や、ＰＨＳや無線ＬＡＮの様な無線の通信形態、あるいはこれらを併用した形態が挙げられる。
【００５２】
次に、本発明に係る撮影装置１００について説明する。図２は本発明に係る代表的な証明写真撮影装置の一例の外観斜視図である。図２に示す様に撮影装置１００はその外観がボックス１１よりなり、通常無人状態で野外に設置されるものである。ボックス１１の正面には被撮影者が入るボックス入口１２と撮影された顔画像プリントを取り出すプリント取出口４０ａが設けられている。
【００５３】
本発明に係る証明写真撮影装置１００では、後述する表示手段である撮影表示窓５０ｂに表示される指示にしたがって、ユーザは撮影等の操作を行い顔画像のプリント写真を入手することが可能である。
【００５４】
ボックス１１内部には椅子１３、撮影表示窓５０ｂ、操作パネル２０ａ、料金支払口３０ａ等が設けられている。被撮影者であるユーザは、料金支払口３０ａに料金を投入後、撮影表示窓５０ｂに表示される指示に基づいて、椅子１３の高さを調整して座り、操作パネル２０ａで撮影条件を入力して撮影を行い、各種証明写真用写真を得る。
【００５５】
次に、本発明に係る撮影装置１００の構成について説明する。図３は本発明に係る代表的な証明写真撮影装置の一例の正面断面図である。図３に示す様に撮影装置１００のボックス１１内には、操作パネル２０ａが被撮影者Ｐが座った位置の正面に配置されている。
【００５６】
操作パネル２０ａは、被撮影者であるユーザへの写真撮影サービスを実施している時は、被撮影者の受付、証明写真のサイズ等の種類、撮影、撮影した顔画像情報への画像処理の有無等を入力する受付・情報入力手段として機能する。また、後述する顔画像データのサーバへの登録の際に行うパスワードの入力を行うパスワード入力手段としても機能する。
【００５７】
料金支払手段３０は、被撮影者Ｐが料金支払口３０ａより料金投入することにより、後述する制御部７１に撮像許可信号を送り、予め設定された料金を徴収する手段である。投入金額が大きい場合には釣り銭を出す。また、料金支払手段３０は領収書を発行可能なものも挙げられる。
【００５８】
ユーザである被撮影者を撮影する撮影手段は、撮影カメラ３５ａに加えて主照明部３６ａ、補助照明部３６ｂよりなる照明手段３６、及びパスワード表示手段としても機能する撮影表示手段５０ｂより構成され、主照明部３６ａ、補助照明部３６ｂで被撮影者を照明して撮影カメラ３５ａにより撮影表示手段である撮影表示窓５０ｂを通して被撮影者Ｐの顔を撮影し、顔画像情報を画像信号として出力する手段である。撮影カメラ３５ａの具体例としては、ＣＣＤを有するデジタルカメラが挙げられ、該デジタルカメラはＣＣＤの前側に焦点規定レンズ、減光機能を有するフィルタを配置している。
【００５９】
プリント手段４０は、後述する制御部７１の制御により撮影手段３５で撮像して得られる顔画像データの画像信号に基づいてプリントを行い、作成されたプリントをプリント取出口４０ａより取り出す手段である。
【００６０】
プリント手段４０の具体例としては、記録媒体と受像材料とを重ね合わせて熱を与えることにより、記録媒体の記録層を受像材料の受像層に転移させて画像形成を行う溶融転写記録方式や色材を昇華、転移させて画像形成を行う昇華型熱転写記録方式の他に、例えば特開２００１−３５０４６７号公報の段落００７８〜００８０に記載の様なインクジェット方式による画像形成方式、あるいは銀塩写真方式による画像形成が挙げられる。
【００６１】
また、本発明ではプリント手段４０は顔画像データをプリント出力するとともに顔画像データをサーバ登録した時に設定したＩＤ番号とパスワードを出力する機能を有する。
【００６２】
また、本発明に係る撮影装置１００は、通信手段であるモデムやアンテナを介してネットワーク３００に接続するサーバ２００に登録、保管されている顔画像データをプリント出力することが可能である。また、本発明に係る撮影装置１００はネットワーク３００に接続する他の撮影装置に記憶されている情報を出力可能なものであってもよい。
【００６３】
表示手段５０は、プリントの種類やサイズの選択、撮影位置の調整といったユーザが撮影前に行う所定の操作を案内表示したり、撮影カメラ３５ａで撮像されてプリント出力用に変換された被撮影者Ｐの顔画像データの表示を行う機能を有する。
【００６４】
本発明では、表示手段５０は顔画像データをサーバに登録する際に入力するパスワード入力手段としても機能し、後述するパスワード発生手段であるパスワード自動発生部で自動発生させたパスワードも表示する。表示手段５０の具体的な例としてはＣＲＴモニタ画面や液晶モニタ画面が挙げられ、図３ではこれらのモニタ画面上に映し出される上記情報をハーフミラー５０ａで屈曲させて撮影表示窓５０ｂに表示する。
【００６５】
音声手段５５は、スピーカ５５ａより操作手順や注意事項等を音声で被撮影者Ｐに伝達する手段である。
【００６６】
通信手段６０は、ネットワーク３００を介して撮影装置１００とサーバ２００との間で通信を行う手段である。本発明では、通信手段６０は、撮影装置１００で撮影して得られたパスワードの付与された顔画像データをネットワーク３００を介してサーバ２００に送信させる機能を有している。撮影装置１００に設けられる通信手段６０は、具体的にはネットワーク３００がアナログ電話回線の様な有線により形成されるものであれば、撮影装置１００にモデム等のインターフェイス装置６０ａを設け、ネットワーク３００が無線により形成されるものであれば、撮影装置１００にアンテナを設けることが挙げられる。
【００６７】
本発明に係る証明写真撮影装置１００は、撮影により得られた顔画像データを撮影装置１００の外部に設けられるデータベースであるサーバ２００に登録し保管することが可能である。顔画像データのサーバ２００への登録は、証明写真撮影装置１００でユーザがパスワードの設定を行うことにより実施され、本発明ではユーザがパスワード入力に手間取り入力操作に行き詰まっても、自動的にパスワードを発生させ、発生させたパスワードを自動入力することで入力操作の行き詰まりを解消している。
【００６８】
本発明に係る証明写真撮影装置１００におけるパスワードの自動発生及び自動入力は、以下に述べる制御手段７０で実施される。図４は本発明に係る証明写真撮影装置１００の制御手段７０の構成を示すブロック図である。
【００６９】
制御手段７０は、撮影装置１００の作動をシーケンシャルに制御、すなわち、予め設定された順序に従って、撮影装置１００における各作動を制御する機能を有する。また、入力手段２０、料金支払手段３０、撮影手段３５、照明手段３６、プリント手段４０、表示手段５０、通信手段６０の各構成を制御することにより撮影装置１００の作動を制御している。
【００７０】
制御手段７０は、撮影装置１００の制御プログラムであるソフトウェアを有するとともにソフトウェア内にあるプログラムに基づいて作動するハードウェアを有するもので、具体的な例としては、上記制御プログラムであるソフトウェアを内蔵し上記制御機能を発揮することの可能なコンピュータが挙げられる。
【００７１】
制御手段７０は、上記撮影装置１００の作動を制御する機能の他に、撮影手段３５で撮影により得られる顔画像データに対してＩＤ番号を自動的に付与し、顔画像データをサーバ２００に登録する際に必要なパスワードの入力がパスワード入力開始時間より所定時間内に完了しない場合に自動的にパスワードを発生させ、発生させたパスワードを自動的に入力する機能を有している。
【００７２】
制御手段７０は、制御部７１と、パスワード入力手段を兼ねる入力手段２０や料金支払手段３０からの入力情報や照明手段３６への出力情報を制御する入出力制御部（Ｉ／Ｏコントロール）７２、制御プログラムであるソフトウェアを収録し、また撮影手段３５で撮影された画像データを一時的に保管する記憶手段７３、プリント出力用の顔画像データをプリント手段４０に送るインターフェイス部７４より構成される。
【００７３】
制御部７１は、制御プログラムに設定されたソフトウェアの内容に基づいて、撮影装置１００を構成する前述の各構成手段の作動を制御するものである。例えば撮影手段３５で撮影した画像データをプリント出力用の画像データに変換する変換作業の実施を制御したり、料金支払手段３０や入力手段２０からの情報に基づいて表示手段への表示内容を決定する等の制御を行う。
【００７４】
また、撮影装置１００で被写体の顔画像の撮影を行うと、制御部７１は撮影手段３５で撮影された画像がプリント出力用の顔画像データに変換されたことを確認すると、ＩＤ番号付与部９０に顔画像データに対応するＩＤ番号を付与するように制御する。
【００７５】
また、制御部７１は、ユーザが顔画像データをサーバに登録することを希望する旨の情報を入力手段２０から情報として受けると、入力手段２０にパスワード入力手段としての機能を付与してユーザによるパスワード入力が可能な状態、表示手段５０であるモニタ画面上にユーザがパスワードの入力を行うことのできるパスワード入力画面を表示して、このパスワード入力画面を表示してから一定時間内にユーザにパスワードの入力を行わせる。ユーザがパスワードの番号を入力すると、表示手段５０は入力した番号をユーザに認識させるためその番号を表示するように制御する。
【００７６】
そして、制御部７１はユーザからのパスワード入力が無事に完了したことを確認すると、顔画像データにユーザにより入力された番号をパスワード設定部８５にこの顔画像データに対応するパスワードとして設定させる。この様にして設定されたパスワードを前述のＩＤ番号とともに顔画像データに対応させて、通信手段６０を介してネットワーク３００に接続するサーバ２００に送信し、撮影装置１００で撮影された顔画像データをサーバ２００に登録する。
【００７７】
本発明では、ユーザがパスワードの入力に行き詰まった時、パスワードを自動的に発生させ、該パスワードを自動入力して顔画像データをサーバに登録することを可能にしている。ユーザがパスワードの入力に行き詰まった時、制御手段７０では以下の制御が行われている。
【００７８】
制御部７１は、ユーザによるパスワードの入力が、パスワード入力開始時間から一定時間経過した時点で、まだ完了していないことを確認すると、パスワード発生部８０にパスワードの自動発生を行う指示を送り、パスワードの自動発生を行うように制御する。
【００７９】
制御部７１は、パスワード発生部８０でパスワードが自動発生したことを確認すると、自動発生したパスワードの番号を表示手段５０に表示するとともにパスワード設定部８５に自動発生させたパスワードを撮影した顔画像データのパスワードとして設定するように制御する。そして、表示手段５０に表示させパスワード設定部８５で設定した番号をパスワードとして、前述のＩＤ番号とともに顔画像データに対応させて、通信手段６０を介してネットワーク３００に接続するサーバ２００に送信するように制御する。この様にして制御部７１は、撮影装置１００で撮影した顔画像データをサーバ２００に登録する。
【００８０】
本発明では、制御部７１がパスワード発生部８０にパスワードを発生させる指示は、パスワード入力開始時間から予め設定された時間内にユーザによるパスワードの入力が完了していないことを確認することがトリガーとなってパスワードの自動発生がなされる。
【００８１】
本発明でいうトリガーとは、ユーザがパスワードの入力に行き詰まりをおこした時に行き詰まりを確認してパスワードの自動発生を開始させる引き金として機能する状態をいう。すなわち、前述のパスワード入力開始時間から予め設定された時間内にユーザがパスワードの入力を完了していない状態の他に、ユーザが自分でパスワード入力を行うことを拒否した状態、あるいは撮影装置の故障等による原因でユーザがパスワード入力をできない状態も、パスワードの自動発生を行うためのトリガーとして挙げられる。
【００８２】
また、本発明に係る撮影装置１００は、ユーザがパスワードの入力に行き詰まった時にパスワード発生部８０で複数のパスワード候補の番号配列を発生させ、表示手段５０にこれらのパスワード候補である番号配列を表示して、これらの中から１つをユーザに選択させ、選択された番号配列をパスワードとして入力する機能を有するものも含まれる。複数のパスワード候補を表示してパスワードの入力を行う場合は、制御手段７０では以下のような制御が行われる。
【００８３】
制御部７１は、ユーザによるパスワードの入力が、パスワード入力開始時間から一定時間経過した時点で、まだ完了していなかったり、あるいは行われていないこと、すなわちユーザがパスワード入力に行き詰まった状態にあると確認すると、パスワード発生部８０にパスワード候補となる番号配列を複数個自動発生させるように指示を送り、パスワード発生部８０が複数個からなるパスワード候補を自動発生させるように制御する。
【００８４】
制御部７１は、パスワード発生部８０で複数個のパスワード候補が自動発生したことを確認すると、これらのパスワード候補の番号を表示手段５０に表示するとともにユーザがこれらのパスワード候補の中から１つの番号を選択できるように入力手段２０を制御する。
【００８５】
そして、制御部７１は、ユーザが表示手段５０に表示された複数のパスワード候補の中から１つの番号を選択したことを入力手段２０を介して確認すると、選択された番号をパスワード設定するようにパスワード設定部８５に指示して撮影された顔画像データにパスワードを付与する。そして、付与されたパスワードを前述のＩＤ番号とともに顔画像データに対応させて、通信手段６０よりネットワーク３００に接続するサーバ２００に送信するように制御する。この様にして制御部７１は、撮影装置１００から顔画像データのサーバ２００への登録を可能にする。
【００８６】
制御手段７０を構成する記憶手段７３は、撮影装置１００の動作を制御する制御プログラムを収録する他に、顔画像データを一時的に記憶、保管する機能に対応可能なものであれば、特に限定されるものではない。記憶手段の具体例としては内蔵メモリ、ＤＶＤ、ＨＤＤが挙げられる。また、記憶手段７３は、制御手段７０であるコンピュータに内蔵される形態を有するものでも、制御手段７０に外付けされる形態のものでもいずれでもよい。
【００８７】
制御手段７０を構成するインターフェイス部７４は、制御部７１とプリント手段４０との間で画像データ等の情報のやりとりを行う接続手段で、具体的にはＣＰＵとプリンタとを接続するＳＣＳＩインターフェイス等が挙げられる。
【００８８】
制御手段７０を構成する入出力制御部７２は、制御部７１と入力手段２０や料金支払手段３０及び照明手段３６との間で情報を交信を行うもので、通常Ｉ／Ｏポート、Ｉ／Ｏコントロールと呼ばれるものである。該入出力制御部７２を介することにより、制御部７１にあるソフトウェア中のプログラム中の入出力命令の情報を入力手段２０、料金支払手段３０、照明手段３６に送り、これらの手段の動作の制御が行われている。
【００８９】
本発明に係る証明写真撮影装置では、ユーザは表示手段５０であるモニタ画面に表示される指示にしたがって、撮影やプリント出力及び顔画像データのサーバへの登録を行う。なお、本発明に係る証明写真撮影装置ではモニタ画面表示される指示に加えて音声手段を用いて指示を行うものもある。
【００９０】
以下、本発明に係る証明写真撮影装置で行われる顔画像データのサーバへの登録の代表的な手順を説明する。図５は本発明に係る証明写真撮影装置の手順を示すフロー図であり、図６は表示手段５０であるモニタ画面に表示されるメッセージ画面の一例を示す模式図である。
【００９１】
顔写真発行を希望するユーザは、画面上のメッセージ（メッセージ（ｍａ））にしたがい、証明写真撮影装置の料金投入部に所定の料金を投入する（ステップ０１）。
【００９２】
料金投入後、ユーザは希望するプリントの種類やサイズを選択する（ステップＳ０２）。具体的には、図６の（ｍｂ）や（ｍｃ）に示す様なメッセージが表示され、ユーザはプリントの種類をカラー写真かモノクロ写真のいずれかを選択し、続いて写真のサイズを選択する。写真のサイズは、例えば履歴書貼付用、パスポート申請用、免許証サイズ、大型サイズといった各サイズの中から希望する１つのサイズを選択する。これらのプリント写真の条件をモニタ画面に表示し、操作パネル上のボタンを使用して希望する種類やサイズを選択する（メッセージ（ｍｂ）、（ｍｃ））。
【００９３】
ユーザは椅子の高さを動かして、撮影位置を調整し決定する（ステップＳ０３）（メッセージ（ｍｄ））。撮影位置の具体的な調整方法は、例えばモニタ画面を使用して画面上に縦横のガイドラインを表示させ、横のガイドラインに目の高さ、縦のガイドラインに鼻の中心を合せるように椅子の高さを調整して撮影位置を決定する。
【００９４】
撮影位置を決定したら撮影を行う（ステップＳ０４）。ユーザが操作パネル上の撮影ボタンを押すとストロボ光の発光に同期して撮影が行われる（メッセージ（ｍｅ））。
【００９５】
撮影終了後、証明写真撮影装置内では撮影画像をプリント出力用の顔画像データに変換する作業が行われ（ステップＳ０５）（メッセージ（ｍｆ））、変換作業が終了するとモニタ画面上にプリント出力用の顔画像データを表示する（ステップＳ０６）（メッセージ（ｍｇ））。
【００９６】
ユーザはモニタ画面に表示された顔画像データを見て、表示された顔画像データが納得のいくものでプリント出力を希望するか、或いは表示された顔画像データでは満足できず再撮影を希望するかを選択する（ステップＳ０７）（メッセージ（ｍｇ））。ユーザが表示された顔画像に満足すると（ステップＳ０７のＹｅｓ）、表示された顔画像データをプリント出力することになる。
【００９７】
表示された顔画像データに納得できない場合（ステップＳ０７のＮｏ）は、撮り直しを行い（ステップＳ０４）、納得のできる顔画像データが得られることにより最終的にプリント出力を実施して（ステップＳ１５）、目的とする顔写真プリントが得られ、一連の顔写真画像の撮影とプリント出力操作は終了する。
【００９８】
本発明に係る証明写真撮影装置は、プリント出力用の顔画像データを証明写真撮影装置が接続されたネットワーク上のサーバに登録し、登録した顔画像データをサーバより呼び出してプリント出力することが可能である。
【００９９】
次に、証明写真撮影装置で得たプリント出力用の顔画像データをサーバに登録する手順を引き続き、図５のフロー図と図６のメッセージ画面模式図を用いて説明する。
【０１００】
前述の様に、ユーザがモニタ画面に表示されたプリント出力用の顔画像データに納得する（ステップＳ０７のＹｅｓ）と、モニタ画面に顔画像データのサーバへの登録実施の案内が表示される（ステップＳ０８）（メッセージ（ｍｈ））。
【０１０１】
ユーザが顔画像データをサーバに登録することを希望する場合（ステップＳ０９のＹｅｓ）は、ユーザに対し図示しないネットサービス使用に関する規約への同意確認等を行った後、登録を希望する顔画像データに対してＩＤ番号が自動的に付与され（ステップＳ１０）、その後にパスワード（図６では暗証番号と表示されている）の設定（入力）を行う（ステップＳ１１）（メッセージ（ｍｉ））。
【０１０２】
本発明に係る証明写真撮影装置では、プリント出力を希望する顔画像データに対して自動的にＩＤ番号を付与する。ＩＤ番号はプリント出力を希望する顔画像データが設定される毎に自動的に付与されるので、例えば同一人物が２度続けて撮影を行い、両方の顔画像データのプリント出力を希望する場合は各々の顔画像データにＩＤ番号が付与される。
【０１０３】
なお、ユーザが顔画像データをサーバに登録することを希望しない場合（ステップＳ０９のＮｏ）は、顔画像データをプリント出力（ステップＳ１５）して一連の証明写真撮影の工程が終了する。
【０１０４】
本発明に係る証明写真撮影装置では、メッセージ（ｍｊ）に表示されるように、設定したパスワード（暗証番号）の印刷を行うことが可能で、ユーザが印刷を希望した場合は、たとえば写真プリント上の余白部分にパスワードが印刷される。この様に、設定したパスワードを記録媒体上に印刷出力することにより、ユーザが筆記用具を持っていなくてもパスワードを控えておくことが可能である。
【０１０５】
また、パスワードの印刷実施をユーザに選択させることにより、ユーザの自己責任の下でパスワードの印刷を行うため、プリント上へのパスワード表示をむやみに行わず顔画像データのセキュリティを確保する上で好ましい。
【０１０６】
後述する図８に本発明に係るパスワードとＩＤ番号の記入されたプリント写真の一例の模式図を示す。
【０１０７】
本発明に係る証明写真撮影装置は、パスワード入力が可能なパスワード入力画面になってから一定時間を経過後、撮影装置１００内の制御手段７０がパスワードの入力状況を確認し（ステップＳ１２）、パスワードの入力が完了していない場合（ステップＳ１２のＮｏ）は、パスワードを自動的に発生させてモニタ画面上にパスワードを表示する（メッセージ（ｍｋ））とともに自動的に入力する（ステップＳ１３）。
【０１０８】
また、本発明に係る証明写真撮影装置は、パスワードを自動的に発生させる時に複数のパスワード候補を表示して、その中からユーザに選択させるものも挙げられる（メッセージ（ｍｍ））。なお、このパスワード選択画面で一定時間内にユーザが操作をせずパスワードの選択がなされなかった場合は、タイムアウト処理として、これらのパスワード候補の中から任意のパスワードが自動的に選択され、モニタ画面上にパスワードを決定したことが表示される（メッセージ（ｍｋ））。
【０１０９】
また、この様に自動的に設定されたパスワードは、前述のユーザがパスワード設定した時と同様に、ユーザの希望によりプリント上への印刷が可能である。
【０１１０】
パスワードの入力が完了すると、サーバへの顔画像データの登録が行われ（ステップＳ１４）、サーバへの顔画像データの登録の終了後プリント出力が行われる（ステップＳ１５）（メッセージ（ｍｎ））。そして、プリントの出力が完了することにより、撮影、顔画像データのサーバへの登録、プリント出力といった一連の証明写真撮影の工程は終了する（メッセージ（ｍｐ））。
【０１１１】
また、図５のフロー図には図示しないが、本発明に係る証明写真撮影装置は、前述の図６のメッセージ（ｍｈ）の画面が表示された時にユーザが一定時間の間顔画像データのサーバへの登録希望も、証明写真のプリント出力も選択しない場合には、モニタ画面上に表示した顔画像データのプリント出力を行って操作を完了するようにしている。
【０１１２】
本発明に係る証明写真撮影装置は、原則としてユーザが好みの番号を入力してパスワードの設定を行うものである。そして、パスワードとして入力する番号は英数字、すなわちアラビア数字とアルファベット記号を組合せたものを意味する他に、英数字とカナ記号を併用する設定方法やアラビア数字とカナ記号を用いたもの、あるいは英数字とプラス記号やマイナス記号などの計算記号を用いるものも挙げられる。
【０１１３】
本発明に係る証明写真撮影装置では、好みのパスワード番号をなかなか決められない人やパスワードの設定が面倒なので設定を撮影装置に委ねることを希望する人、或いはパスワードの入力に時間がかかり過ぎる人に対して、円滑に顔画像データを登録できるように撮影装置がパスワードを自動的に設定する機能を有している。
【０１１４】
また、本発明に係る証明写真撮影装置は、この様にしてサーバに登録した顔画像データを前述のＩＤ番号とパスワードを用いて、サーバよりネットワークを介して呼び出し、該証明写真撮影装置のプリント手段よりプリント写真の出力を行うことも可能である。
【０１１５】
次に、本発明に係る証明写真撮影装置により出力されたプリント写真について説明する。図８は本発明に係る証明写真撮影装置より出力されるプリント写真の例を示す模式図である。
【０１１６】
本発明に係るプリント写真は、前述した図２に示される証明写真撮影装置より出力される。
【０１１７】
本発明に係るプリント写真の一例として、図８（ａ）に示す様にプリント写真上にＩＤ番号とパスワードが表示されるプリント写真が挙げられる。プリント上に表示されるＩＤ番号はプリント写真上の顔画像データを撮影した時に自動的に付与されるものであり、パスワードは顔画像データをサーバに登録する際に設定したものである。
【０１１８】
本発明では、サーバに登録した顔画像データを後日プリント出力する場合、ネットワーク上のサーバにアクセスする際にＩＤ番号とパスワードが必要になる。本発明に係るプリント写真は、プリント上にＩＤ番号とパスワードを表示することで再度のプリント出力を行う時に、ユーザが万一ＩＤ番号とパスワードを忘れてしまっても、プリントに記載のＩＤ番号とパスワードを見て入力が可能である。
【０１１９】
また、本発明に係る証明写真撮影装置は、ユーザがパスワードの番号をプリント上に表示することを希望しない場合は、図８（ｂ）に示す様にパスワードの番号を例えばアスタリスク記号や×印で表示したり、或いはパスワード欄を空欄にしてプリント出力することが可能である。
【０１２０】
なお、ユーザが本発明に係る証明写真撮影装置で撮影を行った時に顔画像データをサーバに登録することを希望しない場合には、図８（ｃ）に示す様にＩＤ番号もパスワードも表示されていないプリント写真が得られる。
【０１２１】
【発明の効果】
本発明によれば、証明写真撮影装置で撮影して得た顔画像データをネットワーク上のサーバに登録する際、ユーザがパスワードの設定操作に行き詰まった場合、撮影装置がパスワードを自動的に発生させてユーザに代わってパスワードの設定を行うことにより、ユーザのパスワード設定時における操作の行き詰まりを解消して円滑なパスワード設定が行える証明写真撮影装置及び顔画像データ登録システムの提供を可能にした。
【０１２２】
また、本発明によれば、証明写真撮影装置で撮影して得た顔画像データをネットワーク上のサーバに登録する際、ユーザがパスワードの設定操作に不慣れで設定に行き詰まっても、撮影装置がパスワードを自動的に発生させてユーザに代わってパスワードの設定を行うので、パスワードの設定が確実に行えて顔画像データのサーバへの登録とプリント出力を円滑かつ確実に行うことのできる証明写真撮影装置及び顔画像データ登録システムの提供を可能にした。
【０１２３】
また、本発明によれば、証明写真撮影装置で撮影して得た顔画像データをネットワーク上のサーバに登録する際、ユーザがパスワードの設定操作に不慣れで設定に行き詰まっても、撮影装置がパスワードを自動的に発生させてユーザに代わってパスワードの設定を行うので、ユーザのパスワード設定行き詰まりに起因するサービス効率や生産性の低下を発生させない証明写真撮影装置及び顔画像データ登録システムの提供を可能にした。
【０１２４】
また、本発明では、顔画像データをサーバに登録した時に付与したパスワードをみだりに印刷することなく、ユーザの自己責任の範囲で印刷を行うパスワードへのセキュリティを配慮した証明写真撮影装置及び顔画像データ登録システムの提供を可能にした。
【０１２５】
また、本発明では、証明写真撮影装置で撮影して得られた顔画像データを出力したプリント写真上に必要に応じてパスワードを表示することの可能なプリント写真の提供を可能にした。
【０１２６】
さらに、本発明では、証明写真撮影装置で撮影して得られた顔画像データをパスワード設定に不慣れなユーザでも確実にサーバに登録することを可能にしたので、あらゆるユーザにサーバ登録した顔画像データを出力したプリント写真の提供を可能にした。
【図面の簡単な説明】
【図１】本発明に係る顔画像データ登録システムの一例を示すシステム概略図である。
【図２】本発明に係る代表的な証明写真撮影装置の一例の外観斜視図である。
【図３】本発明に係る代表的な証明写真撮影装置の一例の正面断面図である。
【図４】本発明に係る証明写真撮影装置の制御手段の構成を示すブロック図である。
【図５】本発明に係る証明写真撮影装置の手順を示すフロー図である。
【図６】本発明に係る証明写真撮影装置のモニタ画面に表示されるメッセージ画面の一例を示す模式図である。
【図７】本発明に係る証明写真撮影装置のモニタ画面に表示されるメッセージ画面の一例を示す模式図である。
【図８】本発明に係る証明写真撮影装置より出力されるプリント写真の例を示す模式図である。
【符号の説明】
２０  入力手段
２０ａ  操作パネル
３０  料金支払手段
３５  撮影手段
３６  照明手段
４０  プリント手段
５０  表示手段
５５  音声手段
６０  通信手段
７０  制御手段
７１  制御部
８０  パスワード発生部
８５  パスワード設定部
９０  ＩＤ番号付与部
１００  撮影装置
２００  サーバ
３００  ネットワーク
Ｐ  被撮影者（ユーザ）
【図１】
2004153393.tif 000003
【図２】
2004153393.tif 000004
【図３】
2004153393.tif 000005
【図４】
2004153393.tif 000006
【図５】
2004153393.tif 000007
【図６】
2004153393.tif 000008
【図７】
2004153393.tif 000009
【図８】
2004153393.tif 000010